(57)【要約】【課題】  記録媒体カセットにおいて上方からの塵埃の侵入を抑制することができる。【解決手段】  記録紙カセット２０は、記録紙収容部２１に外部から遮断して記録紙Ｓを収容し、記録紙Ｓと同じ空間に収容された供給ローラ３０によって記録紙通過口２５を通過させて印刷装置やラミネート装置に記録紙Ｓを供給する。この記録紙通過口２５には、装置本体に装着された際には記録紙通過口２５を開放し脱着された際には閉鎖する遮蔽板３６が形成されている。この遮蔽板３６は、外側上部に向かって支持軸３６ａを中心に回動し記録紙通過口２５を開放する。この記録紙カセット２０は、印刷装置の排紙部に装着して印刷物を収容したあと、ラミネート装置の給紙部に装着して印刷物を供給してラミネート処理を行うことができる。このカセットでは印刷装置やラミネート装置に装着されて給排紙する際に上方に開口する部分がない。【選択図】        図２
2006151675.tif 000002
【特許請求の範囲】
【請求項１】
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体収容部に収容され前記記録媒体を前記記録媒体処理装置に供給する供給ローラと、
前記記録媒体収容部の側面に形成され前記供給ローラにより供給された前記記録媒体が通過可能である記録媒体通過口と、
前記記録媒体処理装置の給紙部に装着されたときには前記記録媒体通過口を開放し前記記録媒体処理装置の給紙部から脱着されたときには前記記録媒体通過口を閉鎖する遮蔽部と、
を備えた記録媒体カセット。
【請求項２】
前記遮蔽部は、前記記録媒体通過口から外部に向かって上方に開く板状部材である、
請求項１に記載の記録媒体カセット。
【請求項３】
前記遮蔽部は、前記記録媒体通過口から外部に向かって上方に開く上側板状部材と、前記上側板状部材の下方に配置され前記記録媒体通過口から外部に向かって下方に開く下側板状部材とを備えており、
前記下側板状部材は、前記記録媒体通過口を閉鎖する縦方向の長さが前記上側板状部材よりも短く形成されている、
請求項１に記載の記録媒体カセット。
【請求項４】
前記遮蔽部は、前記記録媒体通過口から前記記録媒体収容部の内部に向かって開く板状部材である、
請求項１に記載の記録媒体カセット。
【請求項５】
前記記録媒体収容部は、少なくとも一部が透明な材質で形成されている、
請求項１〜４のいずれかに記載の記録媒体カセット。
【請求項６】
請求項１〜５のいずれかに記載の記録媒体カセットであって、
前記記録媒体処理装置の給紙部に装着されたときには前記記録媒体収容部に収容されている記録媒体と前記供給ローラとを密着させる付勢部、
を備えた記録媒体カセット。
【請求項７】
前記記録媒体カセットは、前記記録媒体処理装置の排紙部にも装着可能であり、
前記記録媒体カセットが前記排紙部に装着されたときには、前記遮蔽部は、前記記録媒体通過口を開放可能であり、前記記録媒体通過口は、前記記録媒体処理装置から排出される記録媒体を前記記録媒体収容部へ通過可能であり、前記記録媒体収容部は、前記記録媒体通過口を通過した記録媒体を収容可能である、
請求項１〜６のいずれかに記載の記録媒体カセット。
【請求項８】
請求項７に記載の記録媒体カセットであって、
前記記録媒体処理装置の排紙部に装着されたときには前記記録媒体収容部に収容されている前記記録媒体と前記供給ローラとの間に空間を形成させる空間形成部、
を備えた記録媒体カセット。
【請求項９】
請求項１〜８のいずれかに記載の記録媒体カセットであって、
前記記録媒体収容部に収容され前記供給ローラを回転駆動させる駆動部と、
前記駆動部を駆動する電力を入力する電力入力部と、
を備えた記録媒体カセット。
【請求項１０】
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体処理装置の給紙部に装着されたときに前記記録媒体を前記記録媒体処理装置に供給する供給ローラを略隙間なく収容可能なローラ挿入口と、
前記記録媒体処理装置の給紙部に装着されたときには前記ローラ挿入口を開放し前記記録媒体処理装置の給紙部から脱着されたときには前記ローラ挿入口を閉鎖する開閉蓋と、
前記記録媒体収容部の側面に形成され前記供給ローラにより供給された前記記録媒体が通過可能である記録媒体通過口と、
前記記録媒体処理装置の給紙部に装着されたときには前記記録媒体通過口を開放し前記記録媒体処理装置の給紙部から脱着されたときには前記記録媒体通過口を閉鎖する遮蔽部と、
を備えた記録媒体カセット。
【請求項１１】
前記遮蔽部は、前記記録媒体通過口から外部に向かって上方に開く板状部材である、
請求項１０に記載の記録媒体カセット。
【請求項１２】
前記遮蔽部は、前記記録媒体通過口から外部に向かって上方に開く上側板状部材と、前記上側板状部材の下方に配置され前記記録媒体通過口から外部に向かって下方に開く下側板状部材とを備えており、
前記下側板状部材は、前記記録媒体通過口を閉鎖する縦方向の長さが前記上側板状部材よりも短く形成されている、
請求項１０に記載の記録媒体カセット。
【請求項１３】
前記遮蔽部は、前記記録媒体通過口から前記記録媒体収容部の内部に向かって開く板状部材である、
請求項１０に記載の記録媒体カセット。
【請求項１４】
前記記録媒体収容部は、少なくとも一部が透明な材質で形成されている、
請求項１０〜１３のいずれかに記載の記録媒体カセット。
【請求項１５】
請求項１０〜１４のいずれかに記載の記録媒体カセットであって、
前記記録媒体処理装置の給紙部に装着されたときには前記記録媒体収容部に収容されている記録媒体と前記供給ローラとを密着させる付勢部、
を備えた記録媒体カセット。
【請求項１６】
前記記録媒体カセットは、前記記録媒体処理装置の排紙部にも装着可能であり、
前記記録媒体カセットが前記排紙部に装着されたときには、前記遮蔽部は、前記記録媒体通過口を開放可能であり、前記記録媒体通過口は、前記記録媒体処理装置から排出される記録媒体を前記記録媒体収容部へ通過可能であり、前記記録媒体収容部は、前記記録媒体通過口を通過した記録媒体を収容可能である、
請求項１０〜１５のいずれかに記載の記録媒体カセット。
【請求項１７】
請求項１〜１６のいずれかに記載の記録媒体カセットを複数備えており、該複数の記録媒体カセットの少なくとも１つが前記記録媒体処理装置の給紙部に装着可能であり、該複数の記録媒体カセットの少なくとも１つが前記記録媒体処理装置の排紙部に装着可能に一体化されている、
一体化カセット。
【請求項１８】
請求項１〜８のいずれかに記載の記録媒体カセットを装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体に着色剤によって画像を印刷する印刷部と、
前記印刷部によって印刷された記録媒体を収容する請求項７，８又は１６に記載の記録媒体カセットを装着可能である排紙部と、
を備えた印刷装置。
【請求項１９】
請求項９に記載の記録媒体カセットを装着可能である給紙部と、
前記給紙部に前記記録媒体カセットが装着されたときには前記電力入力部に接続し該電力入力部に電力を供給する電力供給部と、
前記電力供給部が供給した電力で前記供給ローラが駆動し該駆動する供給ローラによって供給された記録媒体に着色剤によって画像を印刷する印刷部と、
前記印刷部によって印刷された記録媒体を収容する請求項７，８又は１６に記載の記録媒体カセットを装着可能である排紙部と、
を備えた印刷装置。
【請求項２０】
請求項１０〜１６のいずれかに記載の記録媒体カセットを装着可能である給紙部と、
前記給紙部に前記記録媒体カセットが装着されたときには前記開閉蓋を開放する開放部と、
前記開放部によって開放された前記ローラ挿入口に入り込んで前記記録媒体に当接し前記記録媒体を前記記録媒体カセットから供給する供給ローラと、
前記供給ローラによって供給された記録媒体に着色剤によって画像を印刷する印刷部と、
前記印刷部によって印刷された記録媒体を収容する請求項７，８又は１６に記載の記録媒体カセットを装着可能である排紙部と、
を備えた印刷装置。
【請求項２１】
請求項１８〜２０のいずれかに記載の印刷装置であって、
前記排紙部に装着された請求項７，８又は１６に記載の記録媒体カセットの記録媒体通過口から前記記録媒体収容部に入り込んで前記印刷部により印刷された記録媒体を該記録媒体収容部に搬送する紙送りローラ、
を備えた印刷装置。
【請求項２２】
給紙部及び排紙部を有し請求項１７に記載の一体化カセットを装着可能である装着部と、
前記一体化カセットから前記給紙部を介して供給された記録媒体に着色剤によって画像を印刷する印刷部と、
前記印刷部によって印刷された記録媒体を前記排紙部を介して前記一体化カセットに搬送する搬送部と、
を備えた印刷装置。
【請求項２３】
請求項２２に記載の印刷装置であって、
前記装着部に装着された一体化カセットの排紙部側の記録媒体通過口から前記記録媒体収容部に入り込んで前記印刷部により印刷された記録媒体を該記録媒体収容部に搬送する紙送りローラ、
を備えた印刷装置。
【請求項２４】
請求項１〜８のいずれかに記載の記録媒体カセットを装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体の表面に保護層を形成させるラミネート処理を施す処理部と、
を備えた印刷物加工装置。
【請求項２５】
請求項９に記載の記録媒体カセットを装着可能である給紙部と、
前記給紙部に前記記録媒体カセットが装着されたときには前記電力入力部に接続し該電力入力部に電力を供給する電力供給部と
前記電力供給部が供給した電力で前記供給ローラが駆動し該駆動する供給ローラによって供給された記録媒体の表面に保護層を形成させるラミネート処理を施す処理部と、
を備えた印刷物加工装置。
【請求項２６】
請求項１０〜１６のいずれかに記載の記録媒体カセットを装着可能である給紙部と、
前記給紙部に前記記録媒体カセットが装着されたときには前記開閉蓋を開放する開放部と、
前記開放部によって開放された前記ローラ挿入口に入り込んで前記記録媒体に当接し前記記録媒体を供給する供給ローラと、
前記供給ローラによって供給された記録媒体の表面に保護層を形成させるラミネート処理を施す処理部と、
を備えた印刷物加工装置。
【請求項２７】
給紙部を有し請求項１７に記載の一体化カセットを装着可能である装着部と、
前記一体化カセットから前記給紙部を介して供給された記録媒体の表面に保護層を形成させるラミネート処理を施す処理部と、
を備えた印刷物加工装置。
【発明の詳細な説明】
【技術分野】
【０００１】
本発明は、記録媒体カセット、一体化カセット、印刷装置及び印刷物加工装置に関する。
【背景技術】
【０００２】
従来、印刷装置に用いられる記録媒体カセットとしては、記録紙を収容する収容部を外部から遮断又は外部に開放させるスライド可能な蓋体を備えたものが提案されている（例えば、特許文献１参照）。この特許文献１に記載された記録媒体カセット１２０（図２０参照）では、上方のみが開放された記録紙収容部１２１に記録紙Ｓを収容し、蓋体１２３により該上方が開放された記録紙収容部１２１を閉鎖する。そして、印刷装置に装着されたときには記録紙Ｓを印刷装置に供給する供給ローラ１３０を略隙間なく収容する大きさのローラ挿入口１７１を開放するように蓋体１２３が幅Ｗだけスライドして記録紙収容部１２１から印刷装置に記録紙Ｓを供給する。したがって、外部からの塵埃の侵入を抑制する。
【特許文献１】特開２００１−２５３５６５号公報
【発明の開示】
【発明が解決しようとする課題】
【０００３】
しかしながら、この特許文献１に記載された記録媒体カセット１２０では、上方に向かって開口するローラ挿入口１７１に記録紙Ｓが通過可能になるように幅Ｙの記録媒体通過口１２５を設ける必要があった。つまり、上方の開口部を大きくする必要があった。ところが塵埃は上方から落ちてくることが多く、依然として塵埃がカセット内部に侵入することがあった。
【０００４】
本発明は、このような課題に鑑みなされたものであり、上方からの塵埃の侵入を抑制することができる記録媒体カセット及び一体化カセットを提供することを目的の一つとする。また、そのような記録媒体カセット及び一体化カセットを装着することができる印刷装置及び印刷物加工装置を提供することを目的の一つとする。
【課題を解決するための手段】
【０００５】
本発明は、上述の目的の少なくとも一つを達成するために以下の手段を採った。
【０００６】
即ち本発明の記録媒体カセットは、
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体収容部に収容され前記記録媒体を前記記録媒体処理装置に供給する供給ローラと、
前記記録媒体収容部の側面に形成され前記供給ローラにより供給された前記記録媒体が通過可能である記録媒体通過口と、
前記記録媒体処理装置の給紙部に装着されたときには前記記録媒体通過口を開放し前記記録媒体処理装置の給紙部から脱着されたときには前記記録媒体通過口を閉鎖する遮蔽部と、
を備えたものである。
【０００７】
この記録媒体カセットでは、外部から遮断して記録媒体を収容し、記録媒体収容部に収容された供給ローラによって記録媒体収容部の側面に形成された記録媒体通過口を通過させて記録媒体処理装置に記録媒体を供給する。この記録媒体通過口には、記録媒体処理装置の給紙部に装着されたときに記録媒体通過口を開放し脱着されたときには記録媒体通過口を閉鎖する遮蔽部が形成されている。このように、給紙部に装着されたときに開放される記録媒体通過口は記録媒体収容部の側面に形成されており上方への開口部がないため、上方からの塵埃の侵入を抑制することができる。
【０００８】
本発明の記録媒体カセットにおいて、前記遮蔽部は、前記記録媒体通過口から外部に向かって上方に開く板状部材であってもよい。こうすれば、記録媒体通過口を開放したときに板状部材が記録媒体通過口のひさしになるため、比較的容易に上方からの塵埃の侵入を抑制することができる。
【０００９】
本発明の記録媒体カセットにおいて、前記遮蔽部は、前記記録媒体通過口から外部に向かって上方に開く上側板状部材と、前記上側板状部材の下方に配置され前記記録媒体通過口から外部に向かって下方に開く下側板状部材とを備えており、前記下側板状部材は、前記記録媒体通過口を閉鎖する縦方向の長さが前記上側板状部材よりも短く形成されていてもよい。こうすれば、記録媒体通過口を開放したときに上側板状部材が記録媒体通過口及び下側板状部材のひさしになるため、比較的容易に上方からの塵埃の侵入を抑制することができる。また、上側板状部材と下側板状部材とにより記録媒体通過口を比較的大きく開放可能であるため、記録媒体が通過しやすい。
【００１０】
本発明の記録媒体カセットにおいて、前記遮蔽部は、前記記録媒体通過口から前記記録媒体収容部の内部に向かって開く板状部材であってもよい。こうすれば、記録媒体通過口を開放する際に板状部材が記録媒体カセットの外部に出ることがないため、カセットを装着する部分の設計がしやすい。
【００１１】
本発明の記録媒体カセットにおいて、前記記録媒体収容部は、少なくとも一部が透明な材質で形成されていてもよい。こうすれば、記録媒体収容部を開放することなく収容されている記録媒体を確認可能であるため、間違ったカセットを記録媒体処理装置に装着してしまうことを防ぐことができる。
【００１２】
本発明の記録媒体カセットは、前記記録媒体処理装置の給紙部に装着されたときには前記記録媒体収容部に収容されている記録媒体と前記供給ローラとを密着させる付勢部、を備えていてもよい。こうすれば、供給ローラによって記録媒体処理装置に記録媒体を供給しやすい。ここで、「付勢部」は、供給ローラを付勢して記録媒体と密着させるものでもよいし、記録媒体を付勢して供給ローラに密着させるものでもよいし、供給ローラと記録媒体とを付勢してこれらを密着させるものでもよい。
【００１３】
本発明の前記記録媒体カセットは、前記記録媒体処理装置の排紙部にも装着可能であり、前記記録媒体カセットが前記排紙部に装着されたときには、前記遮蔽部は、前記記録媒体通過口を開放可能であり、前記記録媒体通過口は、前記記録媒体処理装置から排出される記録媒体を前記記録媒体収容部へ通過可能であり、前記記録媒体収容部は、前記記録媒体通過口を通過した記録媒体を収容可能であってもよい。一般に、記録媒体処理装置により処理された記録媒体は、そのまま外部に排出されることが多いため、記録媒体処理装置から排出されたあとに塵埃が付着することが多い。また、例えば特許文献１に記載された記録媒体カセットを記録媒体処理装置の排出部に装着したとしても記録媒体が通過可能な記録媒体通過口が上方にあるため、上方からの塵埃の侵入を十分に防止できない。これに対して本発明の記録媒体カセットでは、記録媒体処理装置から排出される記録媒体を記録紙収容部の側面に形成された記録媒体通過口を介して収容可能であるため、この記録媒体への上方からの塵埃の付着を抑制することができる。このとき、本発明の記録媒体カセットは、記録媒体処理装置の排紙部に装着され該記録媒体処理装置から排出される記録媒体を収容したあと該記録媒体処理装置又は他の記録媒体処理装置の給紙部に装着され該収容された記録媒体を供給する記録媒体カセットであってもよい。
【００１４】
本発明の記録媒体カセットは、前記記録媒体処理装置の排紙部に装着されたときには前記記録媒体収容部に収容されている前記記録媒体と前記供給ローラとの間に空間を形成させる空間形成部、を備えておてもよい。こうすれば、記録媒体処理装置から排出された記録媒体が記録媒体収容部へ移行するのを供給ローラが妨げることがない。
【００１５】
本発明の記録媒体カセットは、前記記録媒体収容部に収容され前記供給ローラを回転駆動させる駆動部と、前記駆動部を駆動する電力を入力する電力入力部と、を備えていてもよい。こうすれば、電力入力部から電力を入力し、該入力した電力で記録媒体カセットに内蔵した駆動部により供給ローラを駆動させることができる。
【００１６】
あるいは、本発明の記録媒体カセットは、
記録媒体処理装置の給紙部に装着され該記録媒体処理装置に供給する記録媒体を収容する記録媒体カセットであって、
前記記録媒体を外部と遮断して収容する記録媒体収容部と、
前記記録媒体処理装置の給紙部に装着されたときに前記記録媒体を前記記録媒体処理装置に供給する供給ローラを略隙間なく収容可能なローラ挿入口と、
前記記録媒体処理装置の給紙部に装着されたときには前記ローラ挿入口を開放し前記記録媒体処理装置の給紙部から脱着されたときには前記ローラ挿入口を閉鎖する開閉蓋と、
前記記録媒体収容部の側面に形成され前記供給ローラにより供給された前記記録媒体が通過可能である記録媒体通過口と、
前記記録媒体処理装置の給紙部に装着されたときには前記記録媒体通過口を開放し前記記録媒体処理装置の給紙部から脱着されたときには前記記録媒体通過口を閉鎖する遮蔽部と、
を備えたものとしてもよい。
【００１７】
この記録媒体カセットでは、外部から遮断して記録媒体を収容し、記録媒体処理装置の給紙部に装着された際にローラ挿入口が開放されて供給ローラが入り込み、この供給ローラによって記録媒体収容部の側面に形成された記録媒体通過口を通過させて記録媒体処理装置に記録媒体を供給する。この記録媒体通過口には、記録媒体処理装置の給紙部に装着されたときに記録媒体通過口を開放し脱着されたときには記録媒体通過口を閉鎖する遮蔽部が形成されている。ここで、記録媒体収容部の側面に形成した記録媒体通過口を記録媒体が通過するため、上方の開口部を記録媒体が通過可能になるように大きくする必要がない。このように、上方の開口部を小さくすることができるため、その分、上方からの塵埃の侵入を抑制することができる。
【００１８】
本発明の記録媒体カセットにおいて、前記遮蔽部は、前記記録媒体通過口から外部に向かって上方に開く板状部材であってもよい。こうすれば、記録媒体通過口を開放したときに板状部材が記録媒体通過口のひさしになるため、比較的容易に上方からの塵埃の侵入を抑制することができる。
【００１９】
本発明の記録媒体カセットにおいて、前記遮蔽部は、前記記録媒体通過口から外部に向かって上方に開く上側板状部材と、前記上側板状部材の下方に配置され前記記録媒体通過口から外部に向かって下方に開く下側板状部材とを備えており、前記下側板状部材は、前記記録媒体通過口を閉鎖する縦方向の長さが前記上側板状部材よりも短く形成されていてもよい。こうすれば、記録媒体通過口を開放したときに上側板状部材が記録媒体通過口及び下側板状部材のひさしになるため、比較的容易に上方からの塵埃の侵入を抑制することができる。また、上側板状部材と下側板状部材とにより記録媒体通過口を比較的大きく開放するため、記録媒体が通過しやすい。
【００２０】
本発明の記録媒体カセットにおいて、前記遮蔽部は、前記記録媒体通過口から前記記録媒体収容部の内部に向かって開く板状部材であってもよい。こうすれば、記録媒体通過口を開放する際に板状部材が記録媒体カセットの外部に出ることがないため、カセットを装着する部分の設計がしやすい。
【００２１】
本発明の記録媒体カセットにおいて、前記記録媒体収容部は、少なくとも一部が透明な材質で形成されていてもよい。こうすれば、記録媒体収容部を開放することなく収容されている記録媒体を確認可能であるため、間違ったカセットを記録媒体処理装置に装着してしまうことを防ぐことができる。
【００２２】
本発明の記録媒体カセットは、前記記録媒体処理装置の給紙部に装着されたときには前記記録媒体収容部に収容されている記録媒体と前記供給ローラとを密着させる付勢部、を備えていてもよい。こうすれば、供給ローラによって記録媒体処理装置に記録媒体を供給しやすい。
【００２３】
本発明の前記記録媒体カセットは、前記記録媒体処理装置の排紙部にも装着可能であり、前記記録媒体カセットが前記排紙部に装着されたときには、前記遮蔽部は、前記記録媒体通過口を開放可能であり、前記記録媒体通過口は、前記記録媒体処理装置から排出される記録媒体を前記記録媒体収容部へ通過可能であり、前記記録媒体収容部は、前記記録媒体通過口を通過した記録媒体を収容可能であってもよい。一般に、記録媒体処理装置により処理された記録媒体は、そのまま外部に排出されることが多いため、記録媒体処理装置から排出されたあとに塵埃が付着することが多い。また、例えば特許文献１に記載された記録媒体カセットを記録媒体処理装置の排出部に装着したとしても記録媒体が通過可能な記録媒体通過口が上方にあるため、上方からの塵埃の侵入を十分に防止できない。これに対して本発明の記録媒体カセットでは、記録媒体収容部の側面に形成した記録媒体通過口を記録媒体が通過するため、上方の開口部を記録媒体が通過可能になるように大きくする必要がない。このように、上方の開口部を小さくすることができるため、その分、上方からの塵埃の侵入を抑制することができる。このとき、本発明の記録媒体カセットは、記録媒体処理装置の排紙部に装着され該記録媒体処理装置から排出される記録媒体を収容したあと該記録媒体処理装置又は他の記録媒体処理装置の給紙部に装着され該収容された記録媒体を供給する記録媒体カセットであってもよい。
【００２４】
本発明の一体化カセットは、上述したいずれかの記録媒体カセットを複数備えており、該複数の記録媒体カセットの少なくとも１つが前記記録媒体処理装置の給紙部に装着可能であり、該複数の記録媒体カセットの少なくとも１つが前記記録媒体処理装置の排紙部に装着可能に一体化されているものである。この一体化カセットでは、記録媒体処理装置での処理前の記録媒体と同じ種類の処理後の記録媒体を収容可能なため、種類の異なる記録媒体が収容されているカセットを給紙部と排紙部に装着してしまうことがない。
【００２５】
本発明の印刷装置は、
上述したいずれかの記録媒体カセット（供給ローラが記録媒体収容部に収容されたカセット）を装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体に着色剤によって画像を印刷する印刷部と、
前記印刷部によって印刷された記録媒体を収容する上述したいずれかの記録媒体カセット（記録媒体処理装置の排紙部にも装着可能なカセット）を装着可能である排紙部と、
を備えたものである。
【００２６】
この印刷装置では、上述したいずれかの記録媒体カセットを給紙部に装着し、装着された記録媒体カセットから記録媒体を供給し、供給された記録媒体に着色剤によって画像を印刷し、印刷した記録媒体を排紙部に装着された上述したいずれかの記録媒体カセットに収容する。ここで、上述した記録媒体カセットは、上方からの塵埃の侵入を抑制することができるものであるから、この印刷装置では、印刷前の記録媒体と印刷後の記録媒体への塵埃の付着を抑制可能である。したがって、塵埃の付着による印刷物の品質の低下を抑制することができる。
【００２７】
本発明の印刷装置は、
上述した記録媒体カセット（前記記録媒体収容部に収容され前記供給ローラを回転駆動させる駆動部を備えたカセット）を装着可能である給紙部と、
前記給紙部に前記記録媒体カセットが装着されたときには前記電力入力部に接続し該電力入力部に電力を供給する電力供給部と、
前記電力供給部が供給した電力で前記供給ローラが駆動し該駆動する供給ローラによって供給された記録媒体に着色剤によって画像を印刷する印刷部と、
前記印刷部によって印刷された記録媒体を収容する上述したいずれかの記録媒体カセット（記録媒体処理装置の排紙部にも装着可能なカセット）を装着可能である排紙部と、
を備えたものとしてもよい。
【００２８】
こうしても、印刷前の記録媒体と印刷後の記録媒体への塵埃の付着を抑制可能であるため、塵埃の付着による印刷物の品質の低下を抑制することができる。
【００２９】
本発明の印刷装置は、
上述したいずれかの記録媒体カセット（供給ローラを略隙間なく収容可能な開口部を有するカセット）を装着可能である給紙部と、
前記給紙部に前記記録媒体カセットが装着されたときには前記開閉蓋を開放する開放部と、
前記開放部によって開放された前記ローラ挿入口に入り込んで前記記録媒体に当接し前記記録媒体を前記記録媒体カセットから供給する供給ローラと、
前記供給ローラによって供給された記録媒体に着色剤によって画像を印刷する印刷部と、
前記印刷部によって印刷された記録媒体を収容する上述したいずれかの記録媒体カセット（記録媒体処理装置の排紙部にも装着可能なカセット）を装着可能である排紙部と、
を備えたものとしてもよい。
【００３０】
こうしても、印刷前の記録媒体と印刷後の記録媒体への塵埃の付着を抑制可能であるため、塵埃の付着による印刷物の品質の低下を抑制することができる。
【００３１】
本発明の印刷装置は、前記排紙部に装着された上述したいずれかの記録媒体カセット（記録媒体処理装置の排紙部にも装着可能なカセット）の記録媒体通過口から前記記録媒体収容部に入り込んで前記印刷部により印刷された記録媒体を該記録媒体収容部に搬送する紙送りローラ、を備えたものとしてもよい。こうすれば、紙送りローラが記録媒体収容部に入り込んで記録媒体を記録媒体収容部に搬送するため、排紙部から排紙される記録媒体を記録媒体カセットに収容しやすい。
【００３２】
本発明の印刷装置は、
給紙部及び排紙部を有し上述した一体化カセットを装着可能である装着部と、
前記一体化カセットから前記給紙部を介して供給された記録媒体に着色剤によって画像を印刷する印刷部と、
前記印刷部によって印刷された記録媒体を前記排紙部を介して前記一体化カセットに搬送する搬送部と、
を備えたものとしてもよい。
【００３３】
こうしても、印刷前の記録媒体と印刷後の記録媒体への塵埃の付着を抑制可能であるため、塵埃の付着による印刷物の品質の低下を抑制することができる。
【００３４】
本発明の印刷装置は、前記装着部に装着された一体化カセットの排紙部側の記録媒体通過口から前記記録媒体収容部に入り込んで前記印刷部により印刷された記録媒体を該記録媒体収容部に搬送する紙送りローラ、を備えていてもよい。こうすれば、紙送りローラが記録媒体収容部に入り込んで記録媒体を記録媒体収容部に搬送するため、排紙部から排紙される記録媒体を記録媒体カセットに収容しやすい。
【００３５】
本発明の印刷物加工装置は、
上述したいずれかの記録媒体カセット（供給ローラが記録媒体収容部に収容されたカセット）を装着可能である給紙部と、
前記給紙部に前記記録媒体カセットが装着されたときには前記供給ローラに接続し該供給ローラを駆動して前記記録媒体を該記録媒体カセットから供給させる駆動部と、
前記供給ローラによって供給された記録媒体の表面に保護層を形成させるラミネート処理を施す処理部と、
を備えたものである。
【００３６】
この印刷物加工装置では、上述したいずれかの記録媒体カセットを給紙部に装着し、装着された記録媒体カセットから記録媒体を供給し、供給された記録媒体の表面に保護層を形成させるラミネート処理を施す。ここで、上述した記録媒体カセットは、上方からの塵埃の侵入を抑制することができるものであるから、この印刷物加工装置では、塵埃の付着を抑制した記録媒体にラミネート処理をすることができる。したがって、記録媒体への塵埃の付着による加工仕上がりの品質の低下を抑制することができる。なお、上述した印刷装置によって印刷された記録媒体を収容した記録媒体カセットを給紙部に装着してもよい。こうすれば、印刷前からラミネート処理まで、塵埃の付着を抑制した記録媒体を用いることができるため、一層加工仕上がり品の品質の低下を抑制することができる。
【００３７】
本発明の印刷物加工装置は、
上述した記録媒体カセット（前記記録媒体収容部に収容され前記供給ローラを回転駆動させる駆動部を備えたカセット）を装着可能である給紙部と、
前記給紙部に前記記録媒体カセットが装着されたときには前記電力入力部に接続し該電力入力部に電力を供給する電力供給部と
前記電力供給部が供給した電力で前記供給ローラが駆動し該駆動する供給ローラによって供給された記録媒体の表面に保護層を形成させるラミネート処理を施す処理部と、
を備えた印刷物加工装置。
【００３８】
こうしても、塵埃の付着を抑制した記録媒体にラミネート処理を行うため、塵埃の付着による加工仕上がりの品質の低下を抑制することができる。なお、上述した印刷装置によって印刷された記録媒体を収容した記録媒体カセットを給紙部に装着してもよい。こうすれば、印刷前からラミネート処理まで、塵埃の付着を抑制した記録媒体を用いることができるため、一層加工仕上がり品の品質の低下を抑制することができる。
【００３９】
本発明の印刷物加工装置は、
上述したいずれかの記録媒体カセット（供給ローラを略隙間なく収容可能な開口部を有するカセット）を装着可能である給紙部と、
前記給紙部に前記記録媒体カセットが装着されたときには前記開閉蓋を開放する開放部と、
前記開放部によって開放された前記ローラ挿入口に入り込んで前記記録媒体に当接し前記記録媒体を供給する供給ローラと、
前記供給ローラによって供給された記録媒体の表面に保護層を形成させるラミネート処理を施す処理部と、
を備えたものとしてもよい。
【００４０】
こうしても、塵埃の付着を抑制した記録媒体にラミネート処理を行うため、塵埃の付着による加工仕上がりの品質の低下を抑制することができる。なお、上述した印刷装置によって印刷された記録媒体を収容した記録媒体カセットを給紙部に装着してもよい。こうすれば、印刷前からラミネート処理まで、塵埃の付着を抑制した記録媒体を用いることができるため、一層加工仕上がり品の品質の低下を抑制することができる。
【００４１】
本発明の印刷物加工装置は、
給紙部を有し上述した一体化カセットを装着可能である装着部と、
前記一体化カセットから前記給紙部を介して供給された記録媒体の表面に保護層を形成させるラミネート処理を施す処理部と、
を備えたものとしてもよい。
【００４２】
こうしても、塵埃の付着を抑制した記録媒体にラミネート処理を行うため、塵埃の付着による加工仕上がりの品質の低下を抑制することができる。なお、上述した印刷装置によって印刷された記録媒体を収容した記録媒体カセットを給紙部に装着してもよい。こうすれば、印刷前からラミネート処理まで、塵埃の付着を抑制した記録媒体を用いることができるため、一層加工仕上がり品の品質の低下を抑制することができる。
【発明を実施するための最良の形態】
【００４３】
次に、本発明を実施するための最良の形態を実施例を用いて説明する。
【実施例】
【００４４】
［第１実施例］
次に、本発明の第１実施例を図面に基づいて説明する。図１は、本発明の一実施例である記録紙カセット２０の斜視図であり、図２は、図１のＡ−Ａ断面図であり、（ａ）が記録紙通過口２５の閉鎖時の断面図であり、（ｂ）が記録紙通過口２５の開放時の断面図である。図３は、記録紙カセット２０の供給ローラ３０付近を水平面で切断しこれを上面から見た説明図である。この記録紙カセット２０は、記録紙Ｓを外部と遮断して収容する記録紙収容部２１と、記録紙収容部２１の前方の上部に直方体状に形成され供給ローラ３０（図２参照）を記録紙Ｓと同じ空間に収容する供給ローラ収容部２２と、供給ローラ３０に直結している駆動ギア２４と、供給ローラ３０により供給された記録紙Ｓが通過可能な記録紙通過口２５と、記録紙通過口２５を開放・閉鎖可能に支持されている遮蔽板３６と、記録紙Ｓと供給ローラ３０との密着を解除して空間を形成させる付勢解除部２７（図２参照）とを備えている。
【００４５】
記録紙収容部２１は、記録紙Ｓを収容可能なように扁平な直方体に形成されている。この記録紙収容部２１の側面には、透明な部材（例えばアクリル樹脂など）により矩形状の確認窓２１ａが形成されており、カセット内部を目視可能になっている。記録紙収容部２１の側面には付勢解除部２７の棒状体２７ｂが移動する円弧状の回動溝２７ｆが形成されている。この記録紙収容部２１は、記録紙Ｓとして所定形状（例えばＡ４サイズなど）の紙、厚紙及びフィルムなどを収容する。この記録紙収容部の２１の前方側面の上方には記録紙Ｓが通過する記録紙通過口２５が形成されており、この記録紙通過口２５が開口した下側の端部には、遮蔽板３６との間の隙間を塞ぐ柔軟な材料（例えばスポンジなど）で形成された封止部２１ｂが設けられている。
【００４６】
遮蔽板３６は、樹脂により形成されている矩形板状の部材であり、記録紙収容部２１の前方上側に配置されている。この遮蔽板３６は、その上端部３６ｃ近傍に設けられた支持軸３６ａによって記録媒体通過口２５から外部に向かって上方に開くように回動可能に支持されている。この支持軸３６ａは、記録紙収容部２１の記録紙通過口２５の上部近傍に支持されている。また、遮蔽板３６には、引っ張りバネ３７が設けられている。この引っ張りバネ３７は、その一端が供給ローラ収容部２２の上面裏側に形成された係止部３７ａにビス止めされ、他端が遮蔽板３６の係止部３７ｂにビス止めされている。この結果、遮蔽板３６は、常に記録紙通過口２５を閉鎖するように引っ張りバネ３７によって付勢されている。この引っ張りバネ３７は、遮蔽板３６の両側に設けられている。なお、記録紙通過口２５の左右端部には突起状に形成された図示しないストッパが設けられており、遮蔽板３６が記録紙収容部２１の内側に入り込んでしまうのを防止している。また、支持軸３６ａ近傍には、柔軟な材料（例えばスポンジなど）で形成された封止部３６ｂが供給ローラ収容部２２の前方と遮蔽板３６との間に設けられており、遮蔽板３６が回動する際に生じる隙間を塞いでいる。また、遮蔽板３６は、上端部３６ｃが供給ローラ収容部２２の上面よりも上側に突出するように支持されている。このため、この上端部３６ｃが図２において左側に押されると、支持軸３６ａを中心に遮蔽板３６が反時計方向に回動して記録紙通過口２５を開放する（図２（ｂ）参照）。
【００４７】
また、記録紙カセット２０の内部には、図２に示すように、記録紙Ｓと供給ローラ３０との密着を解除させる付勢解除部２７と、記録紙Ｓを戴置する戴置板２８と、戴置板２８を上方に付勢して戴置板２８に戴置された記録紙Ｓを供給ローラ３０に密着させる付勢バネ２９と、記録紙Ｓを記録紙収容部２１から供給する供給ローラ３０とが設けられている。
【００４８】
付勢解除部２７は、記録紙収容部２１の側面に設けられ、後述する印刷装置４０の排紙部４６に装着された際に記録紙Ｓと供給ローラ３０との密着を解除させ記録紙Ｓが収容可能な空間を形成させるものである。この付勢解除部２７のＶ字板２７ａは、その略中央に設けられた支持軸２７ｃを介して記録紙収容部２１に固定され、該支持軸２７ｃを中心として軸回転可能になっている。また、Ｖ字板２７ａの一端には略円弧状に形成された円弧板２７ｅ及び棒状体２７ｂが固定されており、Ｖ字板２７ａの他端には戴置板２８が接続棒２７ｄを介して回動自在に軸支されている。棒状体２７ｂは、記録紙収容部２１に形成されている回動溝２７ｆ（図１参照）から外部に突出した状態でＶ字板２７ａに固定されている。この付勢解除部２７は、棒状体２７ｂが図２において反時計回りに回動溝２７ｆを移動すると、Ｖ字板２７ａも支持軸２７ｃを中心として反時計回りに回転し、接続棒２７ｄが下方に移動することにより、戴置板２８を下方に押し下げるように構成されている。円弧板２７ｅは、棒状体２７ｂが回動溝２７ｆを移動する区間において絶えず回動溝２７ｆの隙間を遮蔽するものである。なお、付勢解除部２７は、記録紙カセット２０の左右両側に形成されている（図３参照）。
【００４９】
供給ローラ３０は、記録紙収容部２１に収容された記録紙Ｓを印刷装置４０などへ供給するゴム製のローラであり、図３に示すように、ローラ軸３１を中心に軸回転可能なように軸受け３２，３２を介して供給ローラ収容部２２に支持されている。ローラ軸３１の片側（図３では右側）は、軸受け３２を介して外部に貫通し駆動ギア２４が固定されている。なお、本実施例では、ローラ軸３１に１つの供給ローラ３０を固定したものを示したが、複数の供給ローラを固定してもよい。
【００５０】
次に、記録紙カセット２０を装着する印刷装置４０について説明する。図４は、印刷装置４０の断面図であり、図５は、記録紙Ｓの供給機構の説明図（図４のＢ−Ｂ断面図）である。印刷装置４０は、インクジェット方式のフルカラープリンタとして構成され、記録紙カセット２０を装着可能である給紙部４２と、給紙部４２を介して供給された記録紙Ｓを排紙部４６まで搬送する搬送ユニット４３と、搬送ユニット４３によって搬送された記録紙Ｓに着色剤（インク）によって画像を印刷する記録ヘッド４４と、印刷された記録紙Ｓを収容する記録紙カセット２０を装着可能である排紙部４６と、印刷装置４０の印刷動作を制御するコントローラ４１とを備えている。
【００５１】
給紙部４２は、記録紙Ｓを供給する記録紙カセット２０を装着する部分であり、記録紙カセット２０が装着された際に記録紙カセット２０との間に略隙間ができないように形成されている。この給紙部４２の上面４５には、遮蔽板３６の上端部３６ｃ（図２参照）が通過する通過部４５ａと、遮蔽板３６の上端部３６ｃが突き当たることにより遮蔽板３６を回動させ記録紙通過口２５を開放する遮蔽板作動部４５ｂと、回動した遮蔽板３６が面接触する遮蔽板固定部４５ｃとが形成されている。この遮蔽板作動部４５ｂ及び遮蔽板固定部４５ｃは、記録紙通過口２５を開放した遮蔽板３６が面接触する角度に傾斜して形成されている。なお、この給紙部４２の下面には、図示しない係止爪が設けられており、この係止爪が記録紙カセット２０の底面に形成された図示しない引っ掛け部に引っ掛かることにより記録紙カセット２０が図４の状態で固定され、図示しない係止解除部を操作することにより引っ掛け部に係止している係止爪を解除可能になっている。
【００５２】
搬送ユニット４３は、記録紙Ｓを本体下部に配設された給紙部４２から円弧を描きインクカートリッジ４４を介して本体上部に配設された排紙部４６に導くガイド部４３ａと、駆動モータ３５に接続し記録紙Ｓをガイド部４３ａに沿って搬送する複数の搬送ローラ４３ｂと、駆動モータ３５に接続し排紙部４６に装着された記録紙カセット２０の記録紙収容部２１に記録紙Ｓを搬送する紙送りローラ４３ｃとにより構成されている。紙送りローラ４３ｃは、記録ヘッド４４により印刷された記録紙Ｓを記録紙収容部２１に搬送するゴム製のローラである。この印刷装置４０では、２つの紙送りローラ４３ｃ，４３ｃが上下に対向して印刷台４４ｄの先端に軸支されている。したがって、この紙送りローラ４３ｃ，４３ｃは、記録紙カセット２０が排紙部４６に装着された際には、記録紙カセット２０の記録紙通過口２５の封止部２１ｂの上部から記録媒体収容部２１の内部に入り込む。
【００５３】
記録ヘッド４４は、シアン・マゼンタ・イエロー・ライトシアン・ライトマゼンタ及びブラックの各色のインクを個別に収容したインクカートリッジ４４ａと、インクカートリッジから供給された各インクに圧力をかける圧力発生部４４ｂと、圧力発生部４４ｂで加圧されたインクを印刷台４４ｄ上に搬送された記録紙Ｓに吐出する吐出口４４ｃとを備えている。圧力発生部４４ｂは、圧電素子（例えばピエゾ素子など）に電圧をかけることによりこの圧電素子を変形させてインクを加圧する方式を採用している。なお、この圧力発生部４４ｂは、発熱抵抗体（例えばヒータなど）に電圧をかけインクを加熱して発生した気泡によりインクを加圧する方式を採用してもよい。
【００５４】
排紙部４６は、印刷した記録紙Ｓを収容する記録紙カセット２０を装着する部分であり、記録紙カセット２０が装着された際に記録紙カセット２０との間に略隙間がないように形成されている。この排紙部４６の上面４７には、遮蔽板３６の上端部３６ｃが通過可能に形成されている通過部４７ａと、この通過部４７ａが段差状に狭くなるように形成されている段差部４７ｂと、遮蔽板３６が面接触する遮蔽板固定部４７ｃとが形成されている。この段差部４７ｂは、遮蔽板３６の上端部３６ｃが記録紙カセット２０を図４において右側に差し込む際に上端部３６ｃが図４において左側に押しつけられることにより遮蔽板３６を反時計方向に回動して記録紙通過口２５を開放するような高さに形成されている。遮蔽板固定部４７ｃは、記録紙通過口２５を開放した遮蔽板３６が面接触する角度に傾斜して形成されている。この排紙部４６の近傍には、記録紙カセット２０の棒状体２７ｂに引っ掛かる略垂直壁状の突出部４６ａが形成されている。なお、この排紙部４６の下面には、図示しない係止爪が設けられており、この係止爪が記録紙カセット２０の底面に形成された図示しない引っ掛け部に引っ掛かることにより記録紙カセット２０が図４の状態で固定され、図示しない係止解除部を操作することにより引っ掛け部に係止している係止爪を解除可能になっている。
【００５５】
また、印刷装置４０には、図４及び図５に示すように、給紙部４２に記録紙カセット２０が装着された際に駆動ギア２４に接続する接続ギア３３ａ，３３ｂが配置されている。この接続ギア３３ｂは、駆動モータ３５のモータ軸３５ａに固定されており、駆動モータ３５により回転する。したがって、接続ギア３３ａ，３３ｂを介して駆動モータ３５により供給ローラ３０が回転する。この駆動モータ３５には、図示しない他のギアが接続されており、搬送ローラ４３ｂ、紙送りローラ４３ｃなども駆動モータ３５により回転する。
【００５６】
コントローラ４１は、周知のＣＰＵを中心としたマイクロプロセッサとして構成されており、処理プログラムを記憶したＲＯＭと、一時的にデータを記憶するＲＡＭとを備えている。このコントローラ４１は、駆動モータ３５や記録ヘッド４４と電気的に接続されており、これらに制御信号を出力する。
【００５７】
続いて、記録紙カセット２０を装着するラミネート装置５０について説明する。図６は、ラミネート装置５０の断面図である。ラミネート装置５０は、記録紙Ｓの上面（印刷面）に対して保護層Ｐを加熱定着させる熱転写型オーバコート方式の装置として構成されている。ラミネート装置５０は、図６に示すように、フィルムが円筒状に巻かれたロールフィルム６１と、ロールフィルム６１から保護材６０ａが形成されたフィルム６０を引き出し該引き出したフィルム６０と重ね合わせて記録紙Ｓを搬送する搬送ローラ５５と、重ね合わせたフィルム６０と記録紙Ｓとを加熱しながら搬送する加熱ローラ５６と、加熱ローラに従動し重ね合わせたフィルム６０と記録紙Ｓとを加圧する加圧ローラ５７と、フィルム６０と記録紙Ｓとを搬送すると共にこれらを離間させる搬送ローラ５８と、保護材６０ａを失ったフィルム６０を巻き取る巻取りロール６２と、ラミネート装置５０の動作を制御するコントローラ５１とを備えている。なお、ラミネート装置５０はオーバコート方式を採用するものとしたが、記録紙Ｓの下面側にも保護層Ｐを加熱定着させる機構を設け、記録紙Ｓの上面と下面とに保護層Ｐを設ける方式のものを採用してもよい。
【００５８】
ロールフィルム６１は、ロール軸６１ａにフィルム６０を図６において時計回りに円筒状に巻いたものである。フィルム６０は、耐熱性を有する樹脂（例えばポリプロピレンなど）からなるフィルムである。このフィルム６０には、加熱ローラ５６及び加圧ローラ５７によってラミネート処理が行われたあと記録紙Ｓの印刷面の保護層Ｐとなる保護材６０ａがその表面に形成されている。つまり、基材であるフィルム６０とその表面に形成された保護材６０ａとの２層構造になっている。保護材６０ａは、フィルム６０の耐熱温度よりも低いガラス転移点Ｔｇで融解する熱可塑性樹脂（例えばアクリル樹脂）からなる。また、巻取りロール６２は、ラミネート処理後の保護材６０ａを失ったフィルム６０を巻き取るものであり、ロール軸６２ａを中心に軸回転可能に支持されている。なお、フィルム６０に保護材６０ａを接着性や耐候性などの特性を変化させて複数層形成してもよい。
【００５９】
給紙部５２は、記録紙Ｓを供給する記録紙カセット２０を装着する部分であり、記録紙カセット２０が装着された際に記録紙カセット２０との間に略隙間ができないように形成されている。この給紙部５２の上面には、印刷装置４０と同様に、遮蔽板３６の上端部３６ｃが通過する通過部５２ａと、遮蔽板３６の上端部３６ｃが突き当たることにより遮蔽板３６を回動して記録紙通過口２５を開放する遮蔽板作動部５２ｂと、遮蔽板３６が面接触する遮蔽板固定部５２ｃとが形成されている。この遮蔽板作動部５２ｂ及び遮蔽板固定部５２ｃは、遮蔽板３６が記録紙通過口２５を開放するときの角度に傾斜して形成されている。なお、この給紙部５２の下面には、図示しない係止爪が設けられており、この係止爪が記録紙カセット２０の底面に形成された図示しない引っ掛け部に引っ掛かることにより記録紙カセット２０が図６の状態で固定され、図示しない係止解除部を操作することにより引っ掛け部に係止している係止爪を解除可能になっている。
【００６０】
加熱ローラ５６は、ヒータ５６ａを内部に有する円筒形の金属コアの外周にゴム層を設けたものであり、駆動モータ５４によって回転し、記録紙Ｓ及びフィルム６０を搬送すると共に記録紙Ｓ上に保護材６０ａを融着させ保護層Ｐを形成させるものである。ヒータ５６ａは、通電により発熱するハロゲンランプなどのヒータである。加圧ローラ５７は、金属製の軸５７ａの周囲にゴム層が設けられているものであり、加熱ローラ５６に付勢された状態で回転可能に支持されている。
【００６１】
更に、ラミネート装置５０の内部には、記録紙カセット２０の駆動ギア２４と接続する接続ギア５３ａ，５３ｂが配置されている。この接続ギア５３ｂは、駆動モータ５４のモータ軸５４ａに固定されており、駆動モータ５４により回転する。したがって、接続ギア５３ａ，５３ｂを介して駆動モータ５４により供給ローラ３０が回転する。また、駆動モータ５４には、図示しない他のギアが接続されており、搬送ローラ５５，５８や加熱ローラ５６なども駆動する。
【００６２】
コントローラ５１は、周知のＣＰＵを中心としたマイクロプロセッサとして構成されており、処理プログラムを記憶したＲＯＭと、一時的にデータを記憶するＲＡＭとを備えている。このコントローラ５１は、駆動モータ５４やヒータ５６ａと電気的に接続されており、これらに制御信号を出力する。
【００６３】
次に、印刷装置４０に記録紙カセット２０を装着する動作について、まず排紙部４６に記録紙カセット２０を装着する動作について、図７を用いて説明する。まず、ユーザは戴置部２８に記録紙Ｓを戴置していない記録紙カセット２０を排紙部４６に差し込む。すると、遮蔽板３６の上端部３６ｃが通過部４７ａを通過し、上端部３６ｃが段差部４７ｂに接触する。そして、記録紙カセット２０を移動していくと、遮蔽板３６は、上端部３６ｃが図７において段差部４７ｂと接触して左側に押しつけられることにより支持軸３６ａを中心に反時計方向に回動して記録紙通過口２５を開放する（図７（ａ））。記録紙カセット２０を更に差し込み方向へ移動していくと、記録紙収容部２１から外部に形成された付勢解除部２７の棒状体２７ｂが突出部４６ａに引っ掛かる。記録紙カセット２０を更に差し込み方向へ移動していくと棒状体２７ｂが突出部４６ａによりカセットの移動の反対方向に押されてＶ字板２７ａが支持軸２７ｃを中心として回転し、接続棒２７ｄを介してＶ字板２７ａに接続した戴置板２８が連動して下方に移動する（図７（ｂ））。そして、記録紙カセット２０が排紙部４６に突き当たると、遮蔽板３６が遮蔽板固定部４７ｃに面接触し、図示しない係止爪で記録紙カセット２０が係止されて装着が完了する（図７（ｃ））。このとき、戴置板２８と供給ローラ３０との間に記録紙Ｓが通過可能な空間Ｖが形成される。また、紙送りローラ４３ｃ，４３ｃが記録紙カセット２０の記録紙通過口２５から記録媒体収容部２１に入り込む。
【００６４】
次に、給紙部４２に記録紙カセット２０を装着する動作について図４を用いて説明する。ユーザは、給紙部４２に装着する記録紙カセット２０の遮蔽板３６を開放し、付勢解除部２７を操作して供給ローラ３０と戴置板２８との間に空間を形成し、記録紙通過口２５を介して記録紙Ｓをこの空間に挿入して戴置部２８に戴置し、遮蔽板３６を閉じる。すると、記録紙Ｓは、外部から遮断された状態で記録紙収容部２１の内部に収容される（図２（ａ）参照）。次にこの記録紙カセット２０を印刷装置４０の下部に設置された給紙部４２に差し込んでいく。すると、記録紙カセット２０の遮蔽板３６の上端部３６ｃが通過部４５ａを通過し、上端部３６ｃが遮蔽板作動部４５ｂに接触する。更に記録紙カセット２０を押し込むと、上端部３６ｃが図４において左側に押しつけられることにより支持軸３６ａを中心に反時計方向に回動して記録紙通過口２５を開放し、遮蔽板３６が遮蔽板固定部４７ｃに面接触し、図示しない係止爪で記録紙カセット２０が係止されて装着が完了する。このとき、図５に示すように、記録紙カセット２０の駆動ギア２４が接続ギア３３ａと噛合する。これにより、供給ローラ３０が駆動モータ３５により駆動可能となる。
【００６５】
次に、印刷装置４０の印刷時の動作について図４を用いて説明する。印刷装置４０のコントローラ４１は、印刷データを受信すると、駆動モータ３５を回転駆動させる。駆動モータ３５が回転駆動すると、接続されている接続ギア３３ｂ，３３ａ及び駆動ギア２４を介して供給ローラ３０が回転する。すると、供給ローラ３０の回転に伴い記録紙Ｓが記録紙収容部２１の側面に形成された記録紙通過口２５を介して搬送ユニット４３に向かって移動する。次に、コントローラ４１は、搬送ユニット４３により記録紙Ｓを記録ヘッド４４に搬送させ、圧力発生部４４ｂへの電圧を制御することにより印刷データに含まれる画像を記録紙Ｓに印刷する。そして、回転駆動している紙送りローラ４３ｃ，４３ｃによって印刷された記録紙Ｓが排紙部４６に装着された記録紙カセット２０の記録紙通過口２５を通過して記録紙収容部２１に収容される。最後に、ユーザは、印刷装置４０で印刷した記録紙Ｓを収容した記録紙カセット２０を図示しない係止解除部を操作して印刷装置４０の排紙部４６から脱着させる。このとき、記録紙カセット２０を後にスライドさせると、遮蔽板３６は、上端部３６ｃが段差部４７ｂに当接しながら引っ張りバネ３７の弾性力により図４において支持軸３６ａを中心に時計回りに回動する。その結果、記録紙カセット２０が印刷装置４０から取り外される前に遮蔽板３６により記録紙通過口２５が閉鎖される。この結果、記録紙カセット２０は、外部から遮断して記録紙Ｓを収容する。
【００６６】
次に、ラミネート装置５０のラミネート処理の動作について図６を用いて説明する。ユーザは、印刷装置４０の排紙部４６から取り外した記録紙カセット２０であることを確認窓２１ａで確認し、この記録紙カセット２０をラミネート装置５０の給紙部５２に差し込む。このとき、印刷装置４０の給紙部４２に装着されるのと同様の動作によって記録紙カセット２０が装着される。このとき、記録紙カセット２０の駆動ギア２４が接続ギア５３と噛合する（図５参照）。これにより、供給ローラ３０が駆動モータ５４により駆動可能となる。
【００６７】
次に、ラミネート装置５０のコントローラ５１は、ラミネート処理の指令を受信すると、駆動モータ５４を回転駆動させる。駆動モータ５４が回転駆動すると、接続されている接続ギア５３及び駆動ギア２４を介して供給ローラ３０が回転する。すると、供給ローラ３０の回転に伴い記録紙Ｓが記録紙収容部２１から搬送ローラ５５に向かって供給される。続いて、記録紙Ｓが搬送ローラ５５に達するタイミングで、コントローラ５１は、搬送ローラ５５を回転させ、ロールフィルム６１からフィルム６０を引き出し該引き出したフィルム６０と重ね合わせて記録紙Ｓを搬送させ、加熱ローラ５６により加熱し、加圧ローラ５７によって加圧するラミネート処理を行う。このとき、ヒータ５６ａは、保護材６０ａのガラス転移点Ｔｇよりも高い温度で且つフィルム６０の耐熱温度未満の所定温度に加熱するように設定してある。フィルム６０及び記録紙Ｓが加熱・加圧されると、フィルム６０の表面に形成された保護材６０ａは、記録紙Ｓの印刷面の表面に融着して記録紙Ｓの保護層Ｐとなる。ラミネート処理された記録紙Ｓは、搬送ローラ５８によりフィルム６０から離間し、ラミネート装置５０の外部に設けられた戴置台５９に搬送される。また、保護材６０ａを失って記録紙Ｓと離間したフィルム６０は、巻取りロール６２に巻き取られる。
【００６８】
ここで、本実施例の構成要素と本発明の構成要素との対応関係を明らかにする。本実施例の遮蔽板３６が本発明の遮蔽部及び板状部材に相当し、付勢バネ２９が付勢部に相当し、付勢解除部２７が空間形成部に相当し、印刷装置４０では接続ギア３３ａ，３３ｂ及び駆動モータ３５が駆動部に相当し、ラミネート装置５０では接続ギア５３ａ，５３ｂ及び駆動モータ５４が駆動部に相当し、記録ヘッド４４が印刷部に相当し、搬送ローラ５５，５８、加熱ローラ５６及び加圧ローラ５７が処理部に相当し、印刷装置４０及びラミネート装置５０が記録媒体処理装置に相当し、ラミネート装置５０が印刷物加工装置に相当する。
【００６９】
以上詳述した第１実施例の記録紙カセット２０によれば、記録紙収容部２１が外部から遮断して記録紙Ｓを収容し、記録紙収容部２１に収容された供給ローラ３０によって記録紙収容部２１の側面に形成された記録紙通過口２５を通過させて印刷装置４０やラミネート装置５０に記録紙Ｓを供給する。この記録紙通過口２５には、印刷装置４０やラミネート装置５０の給紙部に装着されたときに記録紙通過口２５を開放し、脱着されたときには記録紙通過口２５を閉鎖する遮蔽板３６が形成されている。このように、給紙部に装着されたときに開放される記録紙通過口２５は記録紙収容部２１の側面に形成されており上方への開口部がないため、上方からの塵埃の侵入を抑制することができる。
【００７０】
また、遮蔽板３６は、記録紙通過口２５から外部に向かって上方に開くものであるため、記録紙通過口２５を開放したときに遮蔽板３６が記録紙通過口２５のひさしになるため、比較的容易に上方からの塵埃の侵入を抑制することができる。
【００７１】
更に、記録紙収容部２１には、確認窓２１ａが形成されているため、記録紙収容部２１を開放することなく収容されている記録紙Ｓを確認可能であるため、間違ったカセットを印刷装置４０やラミネート装置５０に装着してしまうことを防ぐことができる。
【００７２】
更にまた、付勢バネ２９は、給紙部４２に装着されたときには記録紙収容部２１に収容されている記録紙Ｓと供給ローラ３０とを密着させるため、供給ローラ３０によって印刷装置４０やラミネート装置５０に記録紙Ｓを供給しやすい。
【００７３】
そして、印刷装置４０の排紙部４６にも装着可能であり、印刷装置４０から排出される記録紙Ｓをも収容可能であるため、印刷装置４０から排出される記録紙Ｓへの塵埃の付着を抑制することができる。このとき、付勢解除部２７は、記録紙収容部２１に収容されている記録紙Ｓと供給ローラ３０との間に空間Ｖを形成させるため、印刷装置４０から排出される記録紙Ｓの記録紙収容部２１への移行を供給ローラ３０が妨げることがない。
【００７４】
また、第１実施例の印刷装置４０によれば、記録紙カセット２０を給紙部４２に装着し、装着された記録紙カセット２０から記録紙Ｓを供給し、供給された記録紙Ｓに記録ヘッド４４によって画像を印刷し、印刷した記録紙Ｓを排紙部４６に装着された記録紙カセット２０に収容する。このように、記録紙カセット２０によって印刷前の記録紙Ｓと印刷後の記録紙Ｓへの塵埃の付着を抑制可能であるため、塵埃の付着による印刷物の品質の低下を抑制することができる。また、インクジェット方式の印刷装置は、インクにより印刷を行った後に上面を印刷面として外部に放置することが多く、外部に放置してインクの乾燥を行うと塵埃の付着が起きやすいため、本発明を適用する意義が高い。
【００７５】
また、第１実施例のラミネート装置５０によれば、印刷装置４０によって印刷された記録紙Ｓを収容した記録紙カセット２０を給紙部５２に装着し、装着された記録紙カセット２０から記録紙Ｓを供給し、供給された記録紙Ｓの印刷面に保護層Ｐを形成させるラミネート処理を施す。このように、記録紙カセット２０によって記録紙Ｓへの塵埃の付着を抑制してラミネート処理をすることができるため、記録紙Ｓへの塵埃の付着によるラミネート処理の品質の低下を抑制することができる。
【００７６】
［第２実施例］
次に、本発明の第２実施例を図面に基づいて説明する。図８は、記録紙カセット７０の斜視図であり、図９は、図８のＣ−Ｃ断面図であり、図１０は、印刷装置８０の給紙部８２に装着されたときの記録紙カセット７０の説明図であり、（ａ）が図８のＣ−Ｃ断面図、（ｂ）が平面図である。以下には第２実施例の記録紙カセット７０，印刷装置８０及びラミネート装置９０について説明するが、第１実施例のそれぞれと同じ構成要素については同じ符号を付し、その説明を省略する。
【００７７】
記録紙カセット７０は、図８に示すように、記録紙Ｓを外部と遮断して収容する記録紙収容部２１と、記録紙収容部２１の前方の上部に記録紙Ｓを印刷装置８０に供給する供給ローラ８４（図１０参照）を略隙間なく収容する大きさに形成されているローラ挿入口７１と、印刷装置８０の給紙部８２に装着されたときにはローラ挿入口７１を開放し印刷装置８０の給紙部８２から脱着されたときにはローラ挿入口７１を閉鎖する開閉蓋７２と、供給ローラ８４により供給された記録紙Ｓが通過可能な記録紙通過口２５と、記録紙通過口２５を開放・閉鎖可能に支持されている遮蔽板３６とを備えている。記録紙収容部２１には、その側面に確認窓２１ａが配置されている。また、記録紙通過口２５の下側の端部には、遮蔽板３６との間の隙間を塞ぐ封止部２１ｂが形成されている。記録紙収容部２１の内部には、図９に示すように、戴置板２８と、付勢バネ２９とが設けられている。
【００７８】
開閉蓋７２は、ローラ挿入口７１を閉鎖・開放する樹脂製の矩形状に形成された蓋であり、図示しないガイドに嵌り込んで前後にスライドするものである。この開閉蓋７２は、前方上部に突起爪７２ａが２つ形成されている。この突起爪７２ａは、図９に示すように、遮蔽板３６の上端部３６ｃよりも上側に突出するように形成されており、記録紙カセット７０が印刷装置８０の給紙部８２などに装着された際に開閉蓋７２を開放させるときに用いられる。また、開閉蓋７２には、引っ張りバネ７２ｂが設けられている。この引っ張りバネ７２ｂは、その一端が開閉蓋７２の側面に形成された係止部７２ｃにビス止めされ、他端が記録紙カセット７０に配置された係止部７２ｄにビス止めされている。この結果、開閉蓋７２は、常にローラ挿入口７１を閉鎖するように引っ張りバネ７２ｂによって付勢されている。この引っ張りバネ７２ｂは、開閉蓋７２の両側に設けられている（図１０（ｂ）参照）。ローラ挿入口７１は、印刷装置８０の供給ローラ８４（図１１参照）やラミネート装置９０（図１４参照）の供給ローラ９４を挿入可能な大きさで且つ無駄な隙間ができない大きさＷ（図１０参照）に設計されている。
【００７９】
次に、記録紙カセット７０を装着する印刷装置８０について図１０及び図１１を用いて説明する。図１１は、記録紙カセット７０を装着する印刷装置８０の断面図である。印刷装置８０は、インクジェット方式のフルカラープリンタとして構成され、図１１に示すように、記録紙カセット７０を装着可能である給紙部８２と、給紙部８２を介して供給された記録紙Ｓを搬送する搬送ユニット４３と、搬送ユニット４３によって搬送された記録紙Ｓにインクによって画像を印刷する記録ヘッド４４と、印刷された記録紙Ｓを収容する記録紙カセット７０を装着可能である排紙部８６と、印刷装置８０の印刷動作を制御するコントローラ４１とを備えている。なお、搬送ユニット４３は、ガイド部４３ａと、記録紙Ｓを搬送する複数の搬送ローラ４３ｂと、排紙部８６に装着された記録紙カセット７０の記録紙収容部２１に記録紙Ｓを搬送する紙送りローラ４３ｃ，４３ｃとを備えている。
【００８０】
給紙部８２は、記録紙Ｓを供給する記録紙カセット７０を装着する部分であり、記録紙カセット７０が装着された際に記録紙カセット７０との間に略隙間ができないように形成されている。この給紙部８２の上面８７には、遮蔽板３６の上端部３６ｃ（図９参照）が通過する通過部４５ａと、遮蔽板３６の上端部３６ｃが突き当たることにより遮蔽板３６を回動して記録紙通過口２５を開放する遮蔽板作動部４５ｂと、回動した遮蔽板３６が面接触する遮蔽板固定部４５ｃとが形成されている。また、給紙部８２の通過部４５ａには、突起爪７２ａが通過する通過溝８７ａと、突起爪７２ａが突き当たって開閉蓋７２を開放する開放部８７ｂが形成されている。なお、この給紙部８２の下面には、図示しない係止爪が設けられており、この係止爪が記録紙カセット７０の底面に形成された図示しない引っ掛け部に引っ掛かることにより記録紙カセット７０が図１１の状態で固定され、図示しない係止解除部を操作することにより引っ掛け部に係止している係止爪を解除可能になっている。
【００８１】
排紙部８６は、印刷した記録紙Ｓを収容する記録紙カセット７０を装着する部分であり、記録紙カセット７０が装着された際に記録紙カセット７０との間に略隙間がないように形成されている。この排紙部８６の上面８９には、遮蔽板３６の上端部３６ｃが通過可能に形成されている通過部４７ａと、この通過部４７ａが段差状に狭くなるように形成されている段差部４７ｂと、遮蔽板３６が面接触する遮蔽板固定部４７ｃとが形成されている。また、通過部４７ａには、記録紙カセット７０が排紙部８６に装着されても突起爪７２ａが突き当たらないように突起爪７２ａを通過させる通過溝８９ａが形成されている。なお、この排紙部８６の下面には、図示しない係止爪が設けられており、この係止爪が記録紙カセット７０の底面に形成された図示しない引っ掛け部に引っ掛かることにより記録紙カセット７０が図１１の状態で固定され、図示しない係止解除部を操作することにより引っ掛け部に係止している係止爪を解除可能になっている。
【００８２】
また、印刷装置８０は、ローラ挿入口７１に入り込んで記録紙Ｓに当接して記録紙カセット７０から記録紙Ｓを供給する供給ローラ８４を備えている。この供給ローラ８４は、ローラ支持板８３に支持されている。このローラ支持板８３は、図１０に示すように、Ｌ字形に形成された金属製の板であり、その略中央に設けられた支持板軸８３ａにより回転可能に印刷装置８０に支持されている。このローラ支持板８３の一端には、ローラ軸８４ａを中心に軸回転可能なように軸受け８３ｂを介して供給ローラ８４が支持されている。一方、ローラ支持板８３の他端には、記録紙カセット７０の装着の際にこの記録紙カセット７０と当接するカセット受け部８３ｃが形成されている。このように、カセット受け部８３ｃが図１１において右側に押されると支持板軸８３ａを中心にローラ支持板８３が反時計回りに回転して供給ローラ８４が下方に移動するようになっている。なお、ローラ支持板８３は、図示しないバネにより図１１において時計回りに付勢されており、記録紙カセット７０が脱着されたときにはこれに伴って供給ローラ８４が上方に移動するようになっている。
【００８３】
また、印刷装置８０には、図１０（ｂ）に示すように、ローラギア８４ｂ，接続ギア８８ａ，８８ｂが配置されている。この接続ギア８８ｂは、駆動モータ８５のモータ軸８５ａに固定されており、駆動モータ８５により回転する。また、供給ローラ８４にはローラギア８４ｂが同軸上に固定されており、このローラギア８４ｂは、接続ギア８８ａと接続している。したがって、駆動モータ８５が回転すると、接続ギア８８ｂ，８８ａ及びローラギア８４ｂを介して供給ローラ８４が回転駆動する。また、駆動モータ５４には、図示しない他のギアが接続されており、搬送ローラ４３ｂや紙送りローラ４３ｃ（図１１参照）なども駆動する。
【００８４】
続いて、記録紙カセット７０を装着するラミネート装置９０について説明する。図１２は、ラミネート装置９０の断面図である。ラミネート装置９０は、記録紙Ｓの上面（印刷面）に対して保護層Ｐを加熱定着させる熱転写型オーバコート方式の装置として構成されている。ラミネート装置９０は、図１２に示すように、フィルムが円筒状に巻かれたロールフィルム６１と、ロールフィルム６１からフィルム６０を引き出し該引き出したフィルム６０と重ね合わせて記録紙Ｓを搬送する搬送ローラ５５と、重ね合わせたフィルム６０と記録紙Ｓとを加熱しながら搬送する加熱ローラ５６と、加熱ローラに従動し重ね合わせたフィルム６０と記録紙Ｓとを加圧する加圧ローラ５７と、フィルム６０と記録紙Ｓとを搬送すると共にこれらを離間させる搬送ローラ５８と、使用後のフィルムを巻き取る巻取りロール６２と、ラミネート装置９０の動作を制御するコントローラ５１とを備えている。
【００８５】
給紙部９２は、記録紙Ｓを供給する記録紙カセット７０を装着する部分であり、記録紙カセット７０が装着された際に記録紙カセット７０との間に略隙間ができないように形成されている。この給紙部９２の上面９７には、遮蔽板３６の上端部３６ｃが通過する通過部５２ａと、遮蔽板３６の上端部３６ｃが突き当たることにより遮蔽板３６を回動して記録紙通過口２５を開放する遮蔽板作動部５２ｂと、回動した遮蔽板３６が面接触する遮蔽板固定部５２ｃとが形成されている。この通過部５２ａには、突起爪７２ａが通過する通過溝９７ａと、突起爪７２ａが突き当たって開閉蓋７２を開放する開放部９７ｂとが形成されている。なお、この給紙部９２の下面には、図示しない係止爪が設けられており、この係止爪が記録紙カセット２０の底面に形成された図示しない引っ掛け部に引っ掛かることにより記録紙カセット２０が図１２の状態で固定され、図示しない係止解除部を操作することにより引っ掛け部に係止している係止爪を解除可能になっている。
【００８６】
また、ラミネート装置９０は、ローラ挿入口７１に入り込んで記録紙Ｓに当接して記録紙カセット７０から記録紙Ｓを供給する供給ローラ９４を備えている。供給ローラ９４は、ローラ軸９４ａを中心に軸回転可能なように軸受け９３ｂを介してローラ支持板９３に支持されている。この供給ローラ９４は、印刷装置８０の供給ローラ８４と同じ大きさに形成されている。ローラ支持板９３は、Ｌ字形に形成された金属製の板であり、その略中央に設けられた支持板軸９３ａにより回転可能にラミネート装置９０に支持されている。このローラ支持板９３の一端には、ローラ軸９４ａを中心に軸回転可能なように軸受け９３ｂを介して供給ローラ９４が支持されている。一方、ローラ支持板９３の他端には、記録紙カセット７０の装着の際にこの記録紙カセット７０と当接するカセット受け部９３ｃが形成されている。このように、カセット受け部９３ｃが図１２において右側に押されると支持板軸９３ａを中心にローラ支持板９３が反時計回りに回転して供給ローラ９４が下方に移動するようになっている。なお、ローラ支持板９３は、図示しないバネにより図１２において時計回りに回るように付勢されており、記録紙カセット７０が脱着されたときにはこれに伴って供給ローラ９４が上方に移動するようになっている。
【００８７】
また、ラミネート装置９０は、図１２に示すように、ローラギア９４ｂや接続ギア９８ａ，９８ｂが配置されている。この接続ギア９８ｂは、駆動モータ９５のモータ軸９５ａに固定されており、駆動モータ９５により回転する。また、供給ローラ９４にはローラギア９４ｂが同軸上に固定されており、このローラギア９４ｂは、接続ギア９８ａと接続している。したがって、駆動モータ９５が回転すると、接続ギア９８ｂ，９８ａ及びローラギア９４ｂを介して供給ローラ９４が回転駆動する。また、駆動モータ９５には、図示しない他のギアが接続されており、搬送ローラ５５，５８や加熱ローラ５６なども駆動する。
【００８８】
次に、印刷装置８０に記録紙カセット７０を装着する動作について、まず給紙部８２に記録紙カセット７０を装着する動作について図１３を用いて説明する。ユーザは、記録紙Ｓを戴置部２８に戴置させた記録紙カセット７０を用意する。この記録紙カセット７０を遮蔽板３６の上端部３６ｃが通過部４５ａを通過し、突起爪７２ａが通過溝８７ａを通過するように印刷装置８０の下部に設置された給紙部８２に差し込む。記録紙カセット７０を差し込んでいくと、記録紙カセット７０の前方上部がローラ支持板８３のカセット受け部８３ｃに当接する（図１３（ａ））。そのまま記録紙カセット７０を移動していくと、ローラ支持板８３は、カセット受け部８３ｃが記録紙カセット７０に押されることにより支持板軸８３ａを中心に回転し、供給ローラ８４が下方に弧を描いて移動する。このとき、通過溝８７ａを通過する記録紙カセット７０の突起爪７２ａが開放部８７ｂに突き当たって押されることにより開閉蓋７２が開き始める（図１３（ｂ））。更に記録紙カセット７０を移動していくと、ローラ挿入口７１が開放されると共に供給ローラ８４が更に下方に移動していく。そして、遮蔽板３６の上端部３６ｃが遮蔽板作動部４５ｂに接触する。更に記録紙カセット２０を押し込むと、上端部３６ｃが図１３において左側に押しつけられることにより支持軸３６ａを中心に反時計方向に回動して記録紙通過口２５を開放する。最後に、記録紙カセット７０が給紙部８２に突き当たると、遮蔽板３６が遮蔽板固定部４７ｃに面接触し、ローラ挿入口７１が完全に開放され、供給ローラ８４が記録紙カセット７０内部に収容された記録紙Ｓに密着し、図示しない係止爪で記録紙カセット７０が係止されて装着が完了する（図１３（ｃ））。装着が完了すると、供給ローラ８４によって記録紙Ｓを記録紙収容部２１から印刷装置８０へ供給可能となる。
【００８９】
次に、排紙部８６に記録紙カセット７０を装着する動作について図１１を用いて説明する。まず、ユーザは戴置部２８に記録紙Ｓを戴置していない記録紙カセット７０を用意し、この記録紙カセット７０を排紙部８６に挿入する。すると、遮蔽板３６の上端部３６ｃが通過部４７ａを通過し、上端部３６ｃが段差部４７ｂに接触する。更に記録紙カセット７０を移動していくと、上端部３６ｃが図１１において左側に押しつけられることにより支持軸３６ａを中心に反時計方向に回動して記録紙通過口２５を開放する。そして、記録紙カセット７０が排紙部８６に突き当たると、遮蔽板３６が遮蔽板固定部４７ｃに面接触し、図示しない係止爪で記録紙カセット７０が係止されて装着が完了する。このとき、紙送りローラ４３ｃ，４３ｃが記録紙カセット７０の記録紙通過口２５から記録媒体収容部２１に入り込む。
【００９０】
次に、印刷装置８０の印刷時の動作について図１１を用いて説明する。印刷装置８０のコントローラ４１は、印刷データを受信すると、駆動モータ８５を回転駆動させる。駆動モータ８５が回転駆動すると、接続ギア８８ａ，８８ｂ及びローラギア８４ｂを介して供給ローラ８４が回転する。すると、供給ローラ８４の回転に伴い記録紙Ｓが記録紙収容部２１の側面に形成された記録紙通過口２５を介して搬送ユニット４３に向かって移動する。次に、コントローラ４１は、搬送ユニット４３により記録紙Ｓを記録ヘッド４４に搬送させ、圧力発生部４４ｂへの電圧を制御することにより印刷データに含まれる画像を記録紙Ｓに印刷する。そして、回転駆動している紙送りローラ４３ｃ，４３ｃによって印刷された記録紙Ｓが排紙部４６に装着された記録紙カセット２０の記録紙通過口２５を通過して記録紙収容部２１に収容される。最後に、ユーザは、印刷装置８０で印刷した記録紙Ｓを収容した記録紙カセット７０を図示しない係止解除部を操作して排紙部８６から脱着させる。このとき、記録紙カセット７０を後にスライドさせると、遮蔽板３６は、上端部３６ｃが段差部４７ｂに当接しながら引っ張りバネ３７の弾性力により図１１において支持軸３６ａを中心に時計回りに回動する。その結果、記録紙カセット７０が印刷装置８０から取り外される前に遮蔽板３６により記録紙通過口２５が閉鎖される。また、記録紙カセット７０を後にスライドさせると、開閉蓋７２は、突起爪７２ａが開放部８７ｂに当接しながら引っ張りバネ７２ｂの弾性力により記録紙カセット７０の移動方向と逆に移動する。その結果、記録紙カセット７０が印刷装置８０から取り外される前に開閉蓋７２を閉じてローラ挿入口７１を閉鎖する。この結果、記録紙カセット２０は、外部から遮断して記録紙Ｓを収容する。
【００９１】
次に、ラミネート装置９０のラミネート処理の動作について説明する。まず、ユーザは、印刷装置８０の排紙部８６から取り外した記録紙カセット７０であることを確認窓２１ａで確認し、この記録紙カセット７０をラミネート装置９０の給紙部９２に装着する。このとき、印刷装置８０に記録紙カセット７０を装着する動作と同様の動作で装着される（図１３参照）。次に、ラミネート装置９０のコントローラ５１は、ラミネート処理の指令を受信すると、駆動モータ９５を駆動させる。駆動モータ９５が回転駆動すると、接続ギア９８ａ，９８ｂ及びローラギア９４ｂを介して供給ローラ９４が回転する。すると、供給ローラ３０の回転に伴い記録紙Ｓが記録紙収容部２１から搬送ローラ５５に向かって供給される。続いて、記録紙Ｓが搬送ローラ５５に達するタイミングで、コントローラ５１は、搬送ローラ５５を回転させ、ロールフィルム６１からフィルム６０を引き出し該引き出したフィルム６０と重ね合わせて記録紙Ｓを搬送させ、加熱ローラ５６により所定温度で加熱し、加圧ローラ５７によって加圧する。フィルム６０及び記録紙Ｓが加熱・加圧されると、フィルム６０の表面に形成された保護材６０ａは、記録紙Ｓの印刷面の表面に融着して記録紙Ｓの保護層Ｐとなる。このラミネート処理された記録紙Ｓは、搬送ローラ５８によりフィルム６０から離間し、ラミネート装置５０の外部に設けられた戴置台５９に搬送される。また、保護材６０ａを失って記録紙Ｓと離間したフィルム６０は、巻取りロール６２に巻き取られる。
【００９２】
以上詳述した第２実施例の記録紙カセット７０によれば、外部から遮断して記録紙Ｓを収容し、印刷装置８０の給紙部８２やラミネート装置９０の給紙部９２に装着された際にローラ挿入口７１が開放されて供給ローラ８４，９４が入り込み、この供給ローラ８４，９４によって記録紙収容部２１の側面に形成された記録紙通過口２５を通過させて印刷装置８０やラミネート装置９０に記録紙Ｓを供給する。この記録紙通過口２５には、印刷装置８０やラミネート装置９０の給紙部に装着されたときに記録紙通過口２５を開放し、脱着されたときには記録紙通過口２５を閉鎖する遮蔽板３６が形成されている。ここで、記録紙収容部２１の側面に形成した記録紙通過口２５を記録紙Ｓが通過するため、上方の開口部を記録紙Ｓが通過可能になるように大きくする必要がない。このように、上方の開口部を小さくすることができるため、その分、上方からの塵埃の侵入を抑制することができる。
【００９３】
また、遮蔽板３６は、記録紙通過口２５から外部に向かって上方に開くものであるため、記録紙通過口２５を開放したときに遮蔽板３６が記録紙通過口２５のひさしになるため、比較的容易に上方からの塵埃の侵入を抑制することができる。
【００９４】
更に、記録紙収容部２１には、確認窓２１ａが形成されているため、記録紙収容部２１を開放することなく収容されている記録紙Ｓを確認可能であるため、間違ったカセットを印刷装置４０やラミネート装置５０に装着してしまうことを防ぐことができる。
【００９５】
更にまた、付勢バネ２９は、給紙部４２に装着されたときには記録紙収容部２１に収容されている記録紙Ｓと供給ローラ３０とを密着させるため、供給ローラ３０によって印刷装置４０やラミネート装置５０に記録紙Ｓを供給しやすい。
【００９６】
そして、印刷装置４０の排紙部４６にも装着可能であり、印刷装置４０から排出される記録紙Ｓをも収容可能であるため、印刷装置４０から排出される記録紙Ｓへの塵埃の付着を抑制することができる。
【００９７】
また、第２実施例の印刷装置８０によれば、記録紙カセット７０を給紙部８２に装着し、装着された記録紙カセット２７から記録紙Ｓを供給し、供給された記録紙Ｓに記録ヘッド４４によって画像を印刷し、印刷した記録紙Ｓを排紙部８６に装着された記録紙カセット７０に収容する。このように、記録紙カセット７０によって印刷前の記録紙Ｓと印刷後の記録紙Ｓへの塵埃の付着を抑制可能であるため、塵埃の付着による印刷物の品質の低下を抑制することができる。また、インクジェット方式の印刷装置は、インクにより印刷を行った後に上面を印刷面として外部に放置することが多く、外部に放置してインクの乾燥を行うと塵埃の付着が起きやすいため、本発明を適用する意義が高い。
【００９８】
また、第２実施例のラミネート装置９０によれば、印刷装置８０によって印刷された記録紙Ｓを収容した記録紙カセット７０を給紙部９２に装着し、装着された記録紙カセット７０から記録紙Ｓを供給し、供給された記録紙Ｓの印刷面に保護層Ｐを形成させるラミネート処理を施す。このように、記録紙カセット７０によって記録紙Ｓへの塵埃の付着を抑制してラミネート処理をすることができるため、記録紙Ｓへの塵埃の付着によるラミネート処理の品質の低下を抑制することができる。
【００９９】
なお、本発明は上述した実施例に何ら限定されることはなく、本発明の技術的範囲に属する限り種々の態様で実施し得ることはいうまでもない。
【０１００】
例えば、上述した第１実施例及び第２実施例では、記録紙通過口２５を記録紙収容部２１の前方上方に設け、記録紙通過口２５を遮蔽する部材を記録紙通過口２５の上部近傍に設けられた支持軸３６ａを中心に回動し記録紙通過口２５から外部に向かって上方に開く遮蔽板３６としたが（図２及び図９参照）、閉鎖時の遮蔽板３６の下方に記録紙通過口から外部に向かって下方に開く下側板状部材３８を更に設けてもよい。具体的には、図１４に示す記録紙カセット２０Ｂのように、記録紙通過口２５Ｂを記録紙収容部２１の前方全体に設け、記録紙通過口２５Ｂから外部に向かって下方に開く下側板状部材３８を閉鎖時の遮蔽板３６の下方に設ける。この下側板状部材３８は、記録紙通過口２５を閉鎖する縦方向の長さが遮蔽板３６の長さＸよりも短い長さＹとなるように矩形状に形成されている。この下側板状部材３８は、その下端部３８ｃ近傍に設けられた支持軸３８ａによって回動可能に支持されている。この支持軸３８ａは、記録紙収容部２１の記録紙通過口２５Ｂの下部近傍に支持されている。また、遮蔽板３６と同様に、下側板状部材３８には、係止部３７ａ，３７ｂにビス止めされた引っ張りバネ３９や下側板状部材３８が回動するときの隙間を塞ぐ封止部３８ｂが設けられている。また、下側板状部材３８の上端には封止部２１ｂと同様の機能を持つ封止部３８ｄが設けられている。このように、下側板状部材３８の長さＹが遮蔽板３６の長さＸよりも短いため、記録紙通過口２５を開放したときに遮蔽板３６が記録紙通過口２５及び下側板状部材３８のひさしになり（図１４（ｂ）参照）、比較的容易に上方からの塵埃の侵入を抑制することができる。
【０１０１】
このとき、この記録紙カセット２０Ｂを装着する印刷装置及びラミネート装置の給紙部及び排紙部には、遮蔽板３６を開放するのに用いた通過部、遮蔽板作動部、遮蔽板固定部などを記録紙カセット２０Ｂの底面側にも設け、カセット装着と共に下側板状部材３８を開放するようにしてもよい。この一例を、図１５を用いて説明する。図１５は、印刷装置４０Ｂの排紙部４６Ｂに記録紙カセット２０Ｂを装着したときの説明図である。排紙部４６Ｂの下面４８には、下側板状部材３８の下端部３８ｃが通過する通過部４８ａと、下端部３８ｃが突き当たることにより下側板状部材３８を回動して記録紙通過口２５を開放する板状部材作動部４８ｂと、回動した遮蔽板３６が面接触する遮蔽板固定部４８ｃとが形成されている。そして、記録紙カセット２０Ｂが排紙部４６Ｂに挿入されると、上端部３６Ｃが段差部４７ｂに突き当たって遮蔽部３６を開放すると共に下端部３８ｃが板状部材作動部４８ｂに突き当たって下側板状部材３８を開放する。このように、遮蔽板３６と下側板状部材３８とにより記録紙通過口２５を比較的大きく開放可能であるため、記録紙カセット２０Ｂを印刷装置４０Ｂの排紙部４６Ｂなどに装着する際に紙送りローラ４３ｃ，４３ｃを記録紙収容部２１に収容しやすい。
【０１０２】
なお、説明の便宜のため、第１実施例の記録紙カセット２０や印刷装置４０を基本とする図を用いて以下説明することもあるが、説明する内容を第１実施例のラミネート装置５０や第２実施例の記録紙カセット７０や印刷装置８０やラミネート装置９０などにも適用することができる。
【０１０３】
また、上述した第１実施例及び第２実施例では、記録紙通過口２５を遮蔽する部材を記録紙通過口２５の上部近傍に設けられた支持軸３６ａを中心に回動し記録紙通過口２５から外部に向かって上方に開く遮蔽板３６としたが（図２及び図９参照）、記録紙通過口から内部に向かって上方に開く遮蔽板としてもよい。具体的には、図１６に示す記録紙カセット２０Ｃのように、記録紙通過口２５Ｃから内部に向かって上方に開く遮蔽板３６Ｃとしてもよい。遮蔽板３６Ｃは、上方に設けられた支持軸２６ａによって回動可能に支持されており、バネ２６ｂにより記録紙通過口２５Ｃを閉鎖する方向に付勢されている。こうすれば、記録紙通過口２５を開放する際に遮蔽板３６Ｃが記録紙カセット２０Ｃの外部に出ることがないため、印刷装置及びラミネート装置の給紙部や排紙部の設計がしやすい。なお、遮蔽板は、記録紙収容部２１の内部に向かって左右に開くものとしてもよいし、記録紙収容部２１の内部に向かって下方に開くものとしてもよい。
【０１０４】
このとき、記録紙カセット２０Ｃを装着する印刷装置及びラミネート装置の給紙部及び排紙部には、遮蔽板３６Ｃを開放する開放突起を設けてもよい。この一例を、図１７を用いて説明する。図１７は、印刷装置４０Ｃの排紙部４６Ｃに記録紙カセット２０Ｃを装着したときの説明図である。印刷装置４０Ｃの排紙部４６Ｃには、記録紙カセット２０Ｃが装着された際に支持軸２６ａの下側に当接する位置に開放突起４８が設けられている。そして、記録紙カセット２０Ｃが排紙部４６Ｃに挿入されると、開放突起４８が遮蔽部３６Ｃを押すことにより記録紙通過口２５Ｃを開放する。こうしても、上方からの塵埃の侵入を抑制することができる。
【０１０５】
更に、上述した第１実施例では、付勢バネ２９により記録紙Ｓを供給ローラ３０に常に付勢し印刷装置４０の排紙部４６に装着されたときにのみ付勢解除部２７によりこの付勢を解除するものとしたが、記録紙Ｓを供給ローラ３０に常に付勢せず、印刷装置４０の給紙部４２に装着されたときにのみ記録紙Ｓを供給ローラ３０に付勢するようにしてもよい。なお、上述した第１実施例及び第２実施例では、付勢バネ２９により記録紙Ｓを付勢して供給ローラ３０に密着させるものとしたが、供給ローラ３０にも付勢バネを設けて記録紙Ｓと供給ローラ３０とを密着させてもよいし、供給ローラ３０にのみ付勢バネを設けて記録紙Ｓと供給ローラ３０とを密着させてもよい。
【０１０６】
更にまた、上述した第１実施例及び第２実施例では、記録紙カセットは、印刷装置の給紙部と排紙部とに別々の記録紙カセットを装着するものとしたが、図１８（ａ）に示すように、記録紙カセット２０を２つ備え、一方の記録紙カセットが印刷装置の給紙部に装着可能であり、他方の記録媒体カセットが印刷装置の排紙部に装着可能に一体化されている一体化カセット２０Ｄとしてもよい。こうすれば、印刷装置での処理前の記録紙Ｓと同じ種類の処理後の記録紙Ｓを収容可能なため、種類の異なる記録紙Ｓが収容されているカセットを給紙部と排紙部に装着してしまうことがない。なお、記録紙カセットは、図１８（ｂ）に示すように、２つの記録紙カセット７０を一体化した一体化カセット７０Ｂとしてもよいし、図１８（ｃ）に示すように、記録紙カセット２０と記録紙カセット７０とを一体化した一体化カセット２０Ｅとしてもよい。また、３つ以上の記録紙カセットを一体化してもよい。
【０１０７】
このとき、印刷装置４０は、一体化カセット２０Ｄが装着可能な給紙部４２及び排紙部４６に構成してもよい。また、ラミネート装置５０は、一体化カセット２０Ｄが装着可能な給紙部５２に構成してもよい。更に、図１９に示すように、印刷部４０Ｆと、ラミネート部５０Ｆと、この一体化カセット２０Ｄを装着可能な給紙部１２ａと排紙部１２ｂとを有する装着部１２と、印刷部４０Ｆ及びラミネート部５０Ｆの動作を制御するコントローラ１１を備えた印刷ラミネート装置１０に一体化カセット２０Ｄを用いるとしてもよい。具体的には、一体化カセット２０Ｄを装着部１２に装着する。すると、一体化カセット２０Ｄの下段の供給側の供給ローラが駆動モータ３５Ｆにより駆動可能となり、上段の排紙側の供給ローラが駆動モータ５４Ｆにより駆動可能となる。そして、印刷の指令を受信すると、コントローラ１１は、装着部１２に装着された一体化カセット２０Ｄの供給側の記録紙収容部２１ｃから記録紙ＳをＬ方向に供給させ、印刷部４０Ｆで印刷させたあと、Ｍ方向に記録紙Ｓを搬送して記録紙収容部２１ｄに収容させる。ここで、インクを乾かしたあと、ラミネート処理の指令を受信すると、フラップ１３を切り替えて印刷された記録紙Ｓを排紙側の供給ローラによりＮ方向に搬送し、ラミネート部５０Ｆでラミネート処理を行う。こうすれば、一体化カセット２０Ｄを取り外すことなく印刷・乾燥・ラミネート処理ができるため、一層塵埃の侵入を抑制可能であり、加工仕上がり品の品質の低下を抑制しやすい。
【０１０８】
そして、上述した第１実施例では、供給ローラ３０のローラ軸３１に駆動ギア２４が固定され、この駆動ギア２４を用いて駆動モータ３５により供給ローラ３０を回転させるとしたが、この駆動モータ３５を記録紙カセット２０の内部に設けてもよい。具体的には、記録紙収容部２１に駆動モータを配置し、この駆動モータのモータ軸と供給ローラ３０とを接続し、この駆動モータを駆動する電力を入力するコネクタ（電力入力部）を記録紙収容部２１から外部への隙間が生じないように記録紙カセットの外部に配置する。また、印刷装置には、この記録紙カセットが給紙部に装着されたときにこのコネクタに接続する接続部を設けておく。そして、記録紙カセットが給紙部に装着されたのちに印刷の指令を受けるとコントローラから電力が供給されて記録紙カセットに内蔵されたモータが同期して駆動することにより記録紙Ｓの供給を行う。また、ラミネート装置も、この記録紙カセットが給紙部に装着されたときにこのコネクタに接続する接続部を設けておく。そして、記録紙カセットが給紙部に装着されたのちに印刷の指令を受けるとコントローラから電力が供給されて記録紙カセットに内蔵されたモータが同期して駆動することにより記録紙Ｓの供給を行う。こうすれば、記録紙収容部２１の内部に収容された駆動モータによって記録紙Ｓを供給することができる。
【０１０９】
そしてまた、上述した第２実施例では、記録紙カセット７０の装着に伴って供給ローラ３０をローラ挿入口７１にローラ支持板８３により機械的に挿入する機構を採用したが、記録紙カセット７０の装着を検出するセンサと、供給ローラを下方に移動させる移動用モータを設け、記録紙カセット７０の装着がセンサにより検出されたときには、供給ローラ３０を移動用モータによって下方に電気的に移動させて記録紙収容部２１に収容された記録紙Ｓに当接するようにしてもよい。
【０１１０】
なお、上述した第１実施例及び第２実施例では、印刷が終了した記録紙Ｓの印刷面に供給ローラ３０、供給ローラ９４が接触して記録紙Ｓを記録紙収容部２１から供給するように記録紙Ｓを収容するとしたが、記録紙Ｓの印刷面を供給ローラ３０、供給ローラ９４が接触しないように記録紙Ｓを収容してもよい。例えば、記録紙Ｓの裏側を上面とするように記録紙収容部２１に収容してもよいし、供給ローラの幅を小さくし記録紙Ｓの両端部に供給ローラが接触するようにして印刷面への接触を防いでもよい。こうすれば、供給ローラによる印刷面の品質の低下を抑制することができる。
【図面の簡単な説明】
【０１１１】
【図１】第１実施例の記録紙カセット２０の斜視図である。
【図２】図１の記録紙カセット２０のＡ−Ａ断面図である。
【図３】記録紙カセット２０の断面を上面から見た説明図である。
【図４】第１実施例の印刷装置４０の断面図である。
【図５】記録紙カセット２０及び記録紙Ｓの供給機構の説明図である。
【図６】第１実施例のラミネート装置５０の断面図である。
【図７】記録紙カセット２０を排紙部４６に装着する説明図である。
【図８】第２実施例の記録紙カセット７０の斜視図である。
【図９】図８の記録紙カセット７０のＣ−Ｃ断面図である。
【図１０】給紙部８２に装着された記録紙カセット７０の説明図である。
【図１１】第２実施例の印刷装置８０の断面図である。
【図１２】第２実施例のラミネート装置９０の断面図である。
【図１３】記録紙カセット７０を給紙部８２に装着する説明図である。
【図１４】記録紙カセット２０Ｂの説明図である。
【図１５】排紙部４６Ｂに装着された記録紙カセット２０Ｂの図である。
【図１６】記録紙カセット２０Ｃの説明図である。
【図１７】排紙部４６Ｃに装着された記録紙カセット２０Ｃの図である。
【図１８】一体化カセット２０Ｄ，２０Ｅ及び７０Ｂの説明図である。
【図１９】印刷ラミネート装置１０の説明図である。
【図２０】従来例の記録紙カセット１２０の説明図である。
【符号の説明】
【０１１２】
１０  印刷ラミネート装置、１１  コントローラ、１２  装着部、１２ａ  給紙部、１２ｂ  排紙部、１３  フラップ、２０，２０Ｂ〜２０Ｃ  記録紙カセット、２０Ｄ，２０Ｅ  一体化カセット、２１，２１ｃ，２１ｄ  記録紙収容部、２１ａ  確認窓、２１ｂ  封止部、２２  供給ローラ収容部、２４  駆動ギア、２５，２５Ｂ，２５Ｃ  記録紙通過口、２６ａ  支持軸、２６ｂ  バネ、２７  付勢解除部、２７ａ  Ｖ字板、２７ｂ  棒状体、２７ｃ  支持軸、２７ｆ  回動溝、２７ｅ  円弧板、２８  戴置板、２９  付勢バネ、３０  供給ローラ、３１  ローラ軸、３２  軸受け、３３ａ，３３ｂ  接続ギア、３５，３５Ｆ  駆動モータ、３５ａ  モータ軸、３６ａ  支持軸、３６ｂ  封止部、３６ｃ  上端部、３７  引っ張りバネ、３７ａ，３７ｂ  係止部、３８ａ  支持軸、３８ｂ，３８ｄ  封止部、３８ｃ  下端部、３９  引っ張りバネ、４０  印刷装置、４０Ｆ  印刷部、４１  コントローラ、４２  給紙部、４３  搬送ユニット、４３ａ  ガイド部、４３ｂ  搬送ローラ、４３ｃ  紙送りローラ、４４  記録ヘッド、４４ａ  インクカートリッジ、４４ｂ  圧力発生部、４４ｃ  吐出口、４４ｄ  印刷台、４５  上面、４５ａ  通過部、４５ｂ  遮蔽板作動部、４５ｃ  遮蔽板固定部、４６  排紙部、４６ａ  突出部、４７  上面、４７ａ  通過部、４７ｂ  段差部、４７ｃ  遮蔽板固定部、５０  ラミネート装置、５０Ｆ  ラミネート部、５１  コントローラ、５２  給紙部、５２ａ  通過部、５２ｂ  遮蔽板作動部、５２ｃ  遮蔽板固定部、５３  接続ギア、５４，５４Ｆ  駆動モータ、５５  搬送ローラ、５６  加熱ローラ、５６ａ  ヒータ、５７  加圧ローラ、５７ａ  軸、５８  搬送ローラ、５９  戴置台、６０  フィルム、６０ａ  保護材、６１  ロールフィルム、６１ａ  ロール軸、６２  巻取りロール、６２ａ  ロール軸、７０，７０Ｂ  記録紙カセット、７１  開口部、７２  開閉蓋、７２ａ  突起爪、７２ｂ  引っ張りバネ、７２ｃ，７２ｄ  係止部、８０  印刷装置、８２  給紙部、８３  ローラ支持板、８３ａ  支持板軸、８３ｂ  軸受け、８３ｃ  カセット受け部、８４  供給ローラ、８４ａ  ローラ軸、８４ｂ  ローラギア、８６  排紙部、８７  上面、８７ａ  通過溝、８７ｂ  開放部、８８ａ，８８ｂ  接続ギア、８９  上面、８９ａ  通過溝、９０  ラミネート装置、９２  給紙部、９３  ローラ支持板、９３ａ  支持板軸、９３ｂ  軸受け、９３ｃ  カセット受け部、９４  供給ローラ、９４ａ  ローラ軸、９４ｂ  ローラギア、９５  駆動モータ、９５ａ  モータ軸、９７  上面、９７ａ  通過溝、９７ｂ  開放部、９８ａ，９８ｂ  接続ギア、１２０  記録媒体カセット、１２３  蓋体、１２５  記録紙通過口、１３０  供給ローラ、１７１  開口部、Ｓ  記録紙、Ｐ  保護層、Ｖ  空間。
【図１】
2006151675.tif 000003
【図２】
2006151675.tif 000004
【図３】
2006151675.tif 000005
【図４】
2006151675.tif 000006
【図５】
2006151675.tif 000007
【図６】
2006151675.tif 000008
【図７】
2006151675.tif 000009
【図８】
2006151675.tif 000010
【図９】
2006151675.tif 000011
【図１０】
2006151675.tif 000012
【図１１】
2006151675.tif 000013
【図１２】
2006151675.tif 000014
【図１３】
2006151675.tif 000015
【図１４】
2006151675.tif 000016
【図１５】
2006151675.tif 000017
【図１６】
2006151675.tif 000018
【図１７】
2006151675.tif 000019
【図１８】
2006151675.tif 000020
【図１９】
2006151675.tif 000021
【図２０】
2006151675.tif 000022